(57)【特許請求の範囲】
【請求項１】
複数本の磁石棒を並置した磁性異物除去装置であって、
相隣る２本の磁石棒の互いに相対する側部の間の上部にそれら２本の該磁石棒の互いに相対する側部の間を塞ぐ遮蔽体を設け、各磁石棒の他方の磁石棒に相対していない側部の側に被処理物の通過スペースを形成し、前記遮蔽体の上部を凸状頂面とした磁性異物除去装置。
【発明の詳細な説明】
【技術分野】
【０００１】
本発明は粉体や液体の被処理物に混入した鉄粉等の磁性異物を除去する磁性異物除去装置に関する。
【背景技術】
【０００２】
磁性異物除去装置として、特許文献１に記載の如く、複数本の磁石棒を並置したものがある。
【０００３】
被処理物が磁石棒に衝突しながら、これらの間をぬって落下する過程で、被処理物中に混入している鉄粉等の磁性異物が磁石棒から磁気吸引力を受けて、磁石棒の表面に吸着除去される。
【特許文献１】実開昭59-131245
【発明の開示】
【発明が解決しようとする課題】
【０００４】
本発明者による実験検討結果によれば、特許文献１の磁性異物除去装置では、相隣る２本の磁石棒の間に生ずる磁束密度が低く、磁性異物の除去効率が低いために多数の磁石棒を多段・千鳥配列する必要があり、装置構成が大型化する。
【０００５】
本発明の課題は、磁性異物除去装置において、コンパクトな構成により、磁性異物の除去効率を向上することにある。
【課題を解決するための手段】
【０００６】
請求項１の発明は、複数本の磁石棒を並置した磁性異物除去装置であって、相隣る２本の磁石棒の互いに相対する側部の間の上部にそれら２本の該磁石棒の互いに相対する側部の間を塞ぐ遮蔽体を設け、各磁石棒の他方の磁石棒に相対していない側部の側に被処理物の通過スペースを形成し、前記遮蔽体の上部を凸状頂面としたものである。
【発明を実施するための最良の形態】
【０００７】
（参考例１）（図１、図２）
磁性異物除去装置１０は、筒状の非磁性ケース１１の上面を被処理物１の投入口１２、下面を被処理物１の排出口１３とし、投入口１２と排出口１３の間に、一対をなす２本の磁石棒２０Ａ、２０Ｂを並置（平行配置）している。磁性異物除去装置１０は、磁石棒２０Ａ、２０Ｂをケース１１の相対する壁に着脱可能に設け、被処理物１の投入方向を磁石棒２０Ａ、２０Ｂに向けるガイド板１４を投入口１２に設けている。ガイド板１４はガイド巾の調整機能を備えることができる。
【０００８】
磁石棒２０Ａ（２０Ｂも同じ）は、図２に示す如く、多数の永久磁石２１がヨーク２２を挟んで連結されて棒状をなすものであり、ヨーク２２の両側に相連結される永久磁石２１のＮ極とＮ極、Ｓ極とＳ極が互いに反発するように配置することで、ヨーク２２に磁束密度を集中させ、高い磁束密度を発生させる。
【０００９】
相隣る磁石棒２０Ａ、２０Ｂは、本参考例では、一方のＮ極と他方のＳ極が相対し、同時に一方のＳ極と他方のＮ極が相対するように配置される。但し、相隣る磁石棒２０Ａ、２０Ｂは、一方のＮ極と他方のＮ極が相対し、同時に一方のＳ極と他方のＳ極が相対するように配置されても良い。
【００１０】
本発明者の実験検討結果によれば、相隣る磁石棒２０Ａ、２０Ｂの間に生ずる磁束密度が低く、特に磁石棒２０Ａを構成する永久磁石２１のＮ極とＳ極の中央部（Ａ点）と、磁石棒２０Ｂを構成する永久磁石２１のＮ極とＳ極の中央部（Ｂ点）の間で磁束密度がほぼ「ゼロ」になるスペースがあることを認めた。
【００１１】
そこで、磁性異物除去装置１０にあっては、相隣る磁石棒２０Ａ、２０Ｂの間を塞ぐ非磁性（ステンレス鋼、又は合成樹脂等）の遮蔽体３０を設け、各磁石棒２０Ａ、２０Ｂの遮蔽体３０に対する反対側に被処理物１の通過スペース１５Ａ、１５Ｂを形成した。遮蔽体３０は逆三角断面状をなし、磁石棒２０Ａ、２０Ｂの間に差し込まれる。遮蔽体３０の頂面は磁石棒２０Ａ、２０Ｂより上位に配置されるのが望ましいが、遮蔽体３０は磁石棒２０Ａ、２０Ｂの間にあれば良く、頂点の位置は限定されない。投入口１２から投入された被処理物１の概ね半分は磁石棒２０Ａの遮蔽体３０が設けられていない側である通過スペース１５Ａを通過し、残りの概ね半分は磁石棒２０Ｂの遮蔽体３０が設けられていない側である通過スペース１５Ｂを通過する。
【００１２】
磁性異物除去装置１０は、各磁石棒２０Ａ、２０Ｂによる磁束密度が高い側である通過スペース１５Ａ、１５Ｂを通り、この通過スペース１５Ａ、１５Ｂを通過する過程で磁石棒２０Ａ、２０Ｂの強い磁気吸引力を受け、鉄粉等の磁性異物を吸着除去される。磁石棒２０Ａ、２０Ｂは、ケース１１から脱着され、吸着した鉄粉等の磁性異物を取り除き処理される。
【００１３】
本参考例によれば以下の作用効果を奏する。
磁束密度が低い、相隣る２本の磁石棒２０Ａ、２０Ｂの間に遮蔽体３０を設け、各磁石棒２０Ａ、２０Ｂの遮蔽体３０に対する反対側に被処理物１の通過スペース１５Ａ、１５Ｂを形成した。これにより、被処理物１は、相隣る２本の磁石棒２０Ａ、２０Ｂの間の磁束密度が低いスペースを通らず、各磁石棒２０Ａ、２０Ｂにおいて磁束密度が高い側に形成された通過スペース１５Ａ、１５Ｂを通り、この通過スペース１５Ａ、１５Ｂを通過する過程で各磁石棒２０Ａ、２０Ｂの強い磁気吸引力を受け、鉄粉等の磁性異物を高い除去効率で吸着除去される。
【００１４】
尚、本発者の実験結果によれば、鉄粉等の磁性異物の除去効率が、遮蔽体３０を用いない磁性異物除去装置１０では66％であるのに対し、遮蔽体３０を用いた磁性異物除去装置１０では82％に向上した。
【００１５】
（実施例１）（図３）
実施例１の磁性異物除去装置１０が参考例１の磁性異物除去装置１０と異なる点は、遮蔽体３０の下半部を逆三角断面部３１、上半部を円弧断面部３２とし、逆三角断面部３１を磁石棒２０Ａと磁石棒２０Ｂの間に差し込み、円弧断面部３２の頂面を磁石棒２０Ａ、２０Ｂより上位に配置したことにある。投入口１２から投入された被処理物１は遮蔽体３０の凸状頂面（円弧断面部３２）に堆積することなく、通過スペース１５Ａの側と通過スペース１５Ｂの側にスムースに振り分けられる。
【００１６】
尚、円弧断面部３２は三角形の１つの頂点を上にした三角形断面部でも良い。
【００１７】
（実施例２）（図４）
実施例２の磁性異物除去装置１０が参考例１の磁性異物除去装置１０と異なる点は、遮蔽体３０を磁石棒２０Ａ、２０Ｂと同様の磁石棒にて形成したことにある。磁石棒からなる遮蔽体３０は、磁石棒２０Ａ、２０Ｂの間を塞ぐ機能に加え、被処理物１に混入している鉄粉等の磁性異物を自ら吸着する機能も備える。
【００１８】
（参考例２）（図５）
参考例２の磁性異物除去装置１０が参考例１の磁性異物除去装置１０と異なる点は、一対をなす２本の磁石棒２０Ａ、２０Ｂとそれらの間の遮蔽体３０とにより１組をなす組を、３組配置し、それらの組を２段千鳥配列したものであり、鉄粉等の磁性異物の除去効率を一層向上できる。
【図面の簡単な説明】
【００１９】
【図１】図１は参考例１の磁性異物除去装置を示す模式図である。
【図２】図２は相隣る磁石棒を示す模式図である。
【図３】図３は実施例１の磁性異物除去装置を示す模式図である。
【図４】図４は実施例２の磁性異物除去装置を示す模式図である。
【図５】図５は参考例２の磁性異物除去装置を示す模式図である。
【符号の説明】
【００２０】
１  被処理物
１０  磁性異物除去装置
１５Ａ、１５Ｂ  通過スペース
２０Ａ、２０Ｂ  磁石棒
３０  遮蔽体
３２  円弧断面部（凸状頂面）
【図１】
0004658496.tif 000002
【図２】
0004658496.tif 000003
【図３】
0004658496.tif 000004
【図４】
0004658496.tif 000005
【図５】
0004658496.tif 000006